(57)【要約】  記録媒体、及びその記録媒体にデータを記録するための方法と装置が開示される。内部領域、データ領域及び外部領域を含む記録媒体は、内部領域に含まれる第１のテスト領域と、外部領域に含まれる第２のテスト領域とを含む。第１及び第２のテスト領域はデータ領域の変調方式と同一な所定のウォブル変調方式により形成される。したがって、記録媒体はブルーレイディスクの製造方法に適用可能であり、ブルーレイディスクなどの記録媒体に対してデータを効果的に記録／再生することができる。
2008512818.tif 000002
【特許請求の範囲】
【請求項１】
内部領域、データ領域、及び外部領域を含む記録媒体であって、
前記内部領域に含まれる第１のテスト領域と、
前記外部領域に含まれる第２のテスト領域と
を備え、
前記第１及び第２のテスト領域は、前記データ領域の変調方式と同一な所定のウォブル変調方式によって形成されることを特徴とする記録媒体。
【請求項２】
前記内部領域に含まれた前記第１のテスト領域及び前記外部領域に含まれた前記第２のテスト領域は、最適パワー制御（ＯＰＣ）のために使用されることを特徴とする請求項１に記載の記録媒体。
【請求項３】
前記第１及び第２のテスト領域は、所定のウォブル変調方式によりウォブル変調されたアドレス情報を含むことを特徴とする請求項１に記載の記録媒体。
【請求項４】
前記第１及び第２のテスト領域は、所定のウォブル変調方式によりウォブル変調されたＡＤＩＰユニットを含むことを特徴とする請求項１に記載の記録媒体。
【請求項５】
前記テスト領域及び前記データ領域において使用するための変調方式は、ＭＳＫウォブル変調方式及びＨＭＷ変調方式の両方を示すことを特徴とする請求項１に記載の記録媒体。
【請求項６】
前記外部領域は、保護領域を含み、ＭＳＫ変調方式だけが前記保護領域に適用されることを特徴とする請求項１に記載の記録媒体。
【請求項７】
前記内部領域及び前記外部領域の中で少なくとも一つの領域は、前記第１及び第２のテスト領域を管理することができる管理情報を記録する所定の領域をさらに含むことを特徴とする請求項１に記載の記録媒体。
【請求項８】
前記管理情報は、記録層に割り当てられる前記テスト領域の位置情報を含むことを特徴とする請求項７に記載の記録媒体。
【請求項９】
前記管理情報は、各テスト領域に含まれた利用可能な位置情報を含むことを特徴とする請求項７に記載の記録媒体。
【請求項１０】
前記記録媒体は、追記型ＢＤ−ＲまたはＢＤ−ＲＥであること示すことを特徴とする請求項１に記載の記録媒体。
【請求項１１】
前記第２のテスト領域は、光ビームの進行方向とは異なる方向にＯＰＣのために使用されることを特徴とする請求項１に記載の記録媒体。
【請求項１２】
前記第１のテスト領域は、光ビームの進行方向とは異なる方向にＯＰＣのために使用されることを特徴とする請求項１１に記載の記録媒体。
【請求項１３】
前記ＯＰＣは、所定の単位で実行され、ＯＰＣ用テストデータが光ビームの進行方向と同一な方向に前記所定の単位に記録されることを特徴とする請求項１１に記載の記録媒体。
【請求項１４】
前記ＯＰＣは、可変長で実行され、第１のデータ単位内で既使用テスト部分と未使用テスト部分との間の境界がマーカー情報により示されることを特徴とする請求項１１に記載の記録媒体。
【請求項１５】
前記第１のデータ単位は、物理的クラスタであることを特徴とする請求項１４に記載の記録媒体。
【請求項１６】
記録媒体にデータを記録する方法であって、
（ａ）前記記録媒体に記録される管理情報に含まれ、前記記録媒体の外部領域に割り当てられるテスト領域の中で利用可能な領域を示す位置情報を読み出し、前記読み出された位置情報に対応する物理的位置を認識するステップと、
（ｂ）前記認識された利用可能な領域で最適記録パワーを算出する最適パワー制御（ＯＰＣ）プロセスを実行するステップと、
（ｃ）前記算出された最適記録パワーを使用して前記記録媒体にデータを記録するステップと
を備えることを特徴とする方法。
【請求項１７】
前記テスト領域は、ＭＳＫウォブル変調方式及びＨＭＷウォブル変調方式の両方により形成され、前記テスト領域の変調方式は、データ領域の変調方式と同一であることを特徴とする請求項１６に記載の方法。
【請求項１８】
前記ステップ（ａ）は、ＭＳＫウォブル変調方式及びＨＭＷウォブル変調方式の両方によりウォブル変調されたアドレス情報を使用して前記読み出された位置情報に対応する前記利用可能な領域を認識することを特徴とする請求項１７に記載の方法。
【請求項１９】
前記ステップ（ｂ）は、所定のサイズの単位でＯＰＣプロセスを実行することを特徴とする請求項１６に記載の方法。
【請求項２０】
前記所定のサイズの単位は、物理的クラスタより小さいことを特徴とする請求項１９に記載の方法。
【請求項２１】
前記単位は、ＡＵＮ単位であり、複数のＡＵＮが一つの物理的クラスタを構成することを特徴とする請求項２０に記載の方法。
【請求項２２】
前記ＯＰＣプロセスを実行するための総サイズは可変的であることを特徴とする請求項１９に記載の方法。
【請求項２３】
前記ステップ（ｂ）は、前記ＯＰＣプロセスに対する開始位置を検索するステップをさらに含み、
前記開始位置は、前記単位の数に依存して変化し、前記開始位置から前記ＯＰＣプロセスを実行することを特徴とする請求項１９に記載の方法。
【請求項２４】
前記開始位置は、ウォブルをカウントすることにより検索されることを特徴とする請求項２３に記載の方法。
【請求項２５】
記録媒体にデータを記録する装置であって、
前記記録媒体に記録されたデータを読み出し、前記記録媒体にデータを記録するピックアップ部と、
前記ピックアップ部から読み出された位置情報に対応する物理的位置を認識し、前記認識された利用可能な領域で最適パワー制御（ＯＰＣ）プロセスを実行することにより最適記録パワーを検索し、前記検索された最適記録パワーを使用して前記記録媒体にデータを記録するように前記ピックアップ部を制御する制御部と
を備え、
前記データは、前記記録媒体の外部領域に割り当てられるテスト領域の中で利用可能な領域を示す位置情報を含み、前記位置情報は、前記記録媒体に記録された管理情報に含まれることを特徴とする装置。
【請求項２６】
前記テスト領域は、ＭＳＫウォブル変調方式及びＨＭＷウォブル変調方式の両方により形成されることを特徴とする請求項２５に記載の装置。
【請求項２７】
前記制御部は、ＭＳＫウォブル変調方式及びＨＭＷウォブル変調方式の両方によりウォブル変調されたアドレス情報を使用して前記読み出された位置情報に対応する利用可能な領域を認識することを特徴とする請求項２６に記載の装置。
【請求項２８】
前記ＯＰＣプロセスは、所定のサイズの単位で実行されることを特徴とする請求項２５に記載の装置。
【請求項２９】
前記ＯＰＣプロセスを実行するための総サイズは可変的であることを特徴とする請求項２８に記載の装置。
【請求項３０】
前記制御部は、前記ＯＰＣプロセスに対する開始位置を検索し、前記開始位置は、前記単位の数に依存して変化されることを特徴とする請求項２８に記載の装置。
【請求項３１】
前記制御部は、ウォブルをカウントすることにより前記開始位置を検索することを特徴とする請求項３０に記載の装置。
【発明の詳細な説明】
【技術分野】
【０００１】
本発明は、記録媒体に関する。より詳細には、記録媒体にデータを記録するときに効果的に使用される物理的構造、及びこの物理的構造を使用して記録媒体にデータを記録する方法及び装置に関する。
【背景技術】
【０００２】
一般に、その内部に大容量のデータを記録可能な記録媒体としての役割を果たす、幅広く使用されている光ディスク存在する。その中でも、近年では、例えばブルーレイディスク（Blu-ray Disc（登録商標）：ＢＤ）などの高画質のビデオデータと高音質のオーディオデータを長期間記録し格納することができる高密度光記録媒体が開発されている。
【０００３】
次世代の記録媒体技術に基づくブルーレイディスク（ＢＤ）は、既存のＤＶＤを遥かに超える容量のデータを格納することができる次世代光記録ソリューションであると考えられている。最近、多くの開発者が他のデジタルデバイスの国際標準技術仕様とともにＢＤ関連の国際標準技術仕様に関する集中的な研究を行っている。
【発明の開示】
【発明が解決しようとする課題】
【０００４】
しかし、まだＢＤに使用される望ましいデータ記録方法が構築されておらず、ＢＤを基盤とした光記録／再生デバイスの開発に多くの制限事項と問題点が発生している。特に、このような制限事項と問題点は記録媒体にデータを記録するための最適の記録パワーを算出する特定技術分野において問題になっている。
【０００５】
したがって、本発明は上述したような従来技術の制限事項と問題点に起因する１つまたは複数の問題点を実質的に解決する、記録媒体及びその記録媒体にデータを記録するための方法と装置を対象にする。本発明の目的は、ＢＤなどの記録媒体に適合する物理的構造と、このような物理的構造を使用する記録媒体にデータを記録する方法及び装置を提供することにある。
【０００６】
本発明のさらなる利点、目的、及び特徴は以下の説明において一部説明され、以下の考察において当業者に一部明らかになり、本発明の実施から把握できる。本発明の目的及び他の利点は、発明の詳細な説明及び特許請求の範囲と同様に添付図面において特に指摘された構造によって実現され、達成されることが可能である。
【課題を解決するための手段】
【０００７】
前記目的及び他の利点を達成するため、かつ本明細書に具体的に、広く説明されているような本発明の目的に従って、内部領域、データ領域、及び外部領域を含む記録媒体は、内部領域に含まれる第１のテスト領域と、外部領域に含まれる第２のテスト領域とを含み、第１のテスト領域と前記第２のテスト領域はデータ領域の変調方式と同一な所定のウォブル（wobble）変調方式により形成される。
【０００８】
本発明の他の様態によれば、記録媒体にデータを記録する方法は、（ａ）記録媒体に記録される管理情報に含まれ、記録媒体の外部領域に割り当てられたテスト領域の中で利用可能領域を示す位置情報を読み出し、読み出された位置情報に対応する物理的位置を認識するステップと、（ｂ）認識された利用可能領域における最適記録パワーを算出する最適パワー制御（Optimum Power Control：ＯＰＣ）プロセスを実行するステップと、（ｃ）算出された最適記録パワーを使用して記録媒体にデータを記録するステップと、を含む。
【０００９】
本発明のまた他の様態によれば、記録媒体にデータを記録する装置は、記録媒体に記録された管理情報に含まれ、記録媒体の外部領域に割り当てられたテスト領域の中で利用可能な領域を示す位置情報を含む、記録媒体に記録されたデータを読み出し、かつ記録媒体にデータを記録するピックアップ部と、そのピックアップ部から読み出された位置情報に対応する物理的位置を認識し、最適パワー制御（ＯＰＣ）プロセスを実行することにより、その認識された利用可能な領域における最適記録パワーを検索し、その検索された最適記録パワーを使用して記録媒体にデータを記録するようにピックアップ部を制御する制御部と、を含む。
【００１０】
前述した一般的な説明と後述する本発明の詳細な説明は、例示であり、かつ説明目的のものであり、本発明のさらなる説明を提供することを意図していることを理解すべきである。
【発明を実施するための最良の形態】
【００１１】
参照は、本発明の好ましい実施形態及び添付図面において説明される例について、詳細になされる。可能な限り、同一な図面参照符号は、図面全体を通して同一または類似の部分を示すために使用される。
【００１２】
本発明を説明する前に、本発明において開示されているほとんどの用語は当業者に周知の一般的な用語に対応するが、いくつかの用語は必要に応じて出願人によって選択されていて、後述の本発明の説明において開示されるということを注目すべきである。したがって、出願人によって定義された用語は、本発明においてその定義された意味に基づいて理解されることが好ましい。
【００１３】
本発明で使用した「記録媒体（recording medium）」の意味は、記録の仕組みに従って、例えば、光ディスク及び磁気テープ方式などを含む全ての記録媒体を示す。以下、本発明の説明の便宜及びさらなる理解のために、ＢＤなどの光ディスクは、本発明の上述の記録媒体として例示的に説明される。本発明の技術思想は、本発明の範囲及び要旨から離れることなく他の記録媒体に適用可能であることは注目すべきである。
【００１４】
「最適パワー制御（ＯＰＣ）領域」とは、記録媒体内のＯＰＣプロセスを実行するために割り当てられた所定の領域を意味する。「最適パワー制御（ＯＰＣ）」とは、記録可能な光ディスクに（テスト）データを記録するときの最適記録パワーの算出が可能な所定のプロセスを意味する。
【００１５】
すなわち、光ディスクが特定の光記録／再生デバイスに装着されると、光記録／再生デバイスは、光ディスクのＯＰＣ領域にデータを記録する所定のプロセス及び記録されたデータを再生する所定のプロセスを反復的に実行して光ディスクに適用可能な最適記録パワーを算出する。以後、光記録／再生デバイスは光ディスクにデータを記録するときに算出された最適記録パワーを使用する。したがって、記録可能な光ディスクに対してＯＰＣ領域が要求される。
【００１６】
「ＤＣＺ（Drive Calibration Zone）領域」とは、記録媒体で光記録／再生デバイス（または「ドライブ（drive）」）により使用される特定の領域を意味し、ＤＣＺ領域はＯＰＣプロセスだけではなく光記録／再生デバイスに対して要求される多様なテストも実行することができる。
【００１７】
この場合、ＯＰＣ領域及びＤＣＺ領域は、ＯＰＣプロセスのために使用することができる。本発明によれば、ＯＰＣ領域及びＤＣＺ領域は、一般的に「テスト領域（Test zone）」と呼ばれる。ＯＰＣ領域でのＯＰＣ実行はＤＣＺ領域でも適用可能であるということは注目すべきである。
【００１８】
図１は、本発明に係る、その内部にデータを記録することができる光ディスク構造を示す図である。説明の便宜及び本発明のさらなる理解のために、その内部にデータを記録することができるシングルレイヤのＢＤ−Ｒ／ＲＥが図１に示される。
【００１９】
図１を参照すれば、光ディスクは、ディスク内部領域から順番に内部領域と、データ領域と、外部領域と、を含む。内部領域及び外部領域の各々に含まれる特定の領域はディスク管理情報を記録するための記録領域またはテスト領域として使用される。データ領域は実際のユーザデータをその内部に記録する。
【００２０】
以下、内部領域及び外部領域について詳細に説明する。内部領域は、ＰＩＣ（Permanent Information & Control data）領域と、ＯＰＣ領域と、２個の情報領域（すなわち、情報領域、ＩＮ１及びＩＮ２）と、を含む。ＰＩＣ領域はエンボスされた（embossed）ＨＦＭ（High Frequency Modulated）信号としてディスク管理情報を記録する。テスト領域として機能するＯＰＣ領域はＯＰＣプロセスを実行するように適応される。情報領域ＩＮ１及びＩＮ２は、ＤＭＡ（Defect Management Area）を含む多様なディスク管理情報を記録する。
【００２１】
また、追記型ＢＤ−ＲはＯＰＣ領域の隣にＴＤＭＡ（Temporary Disc Management Area）をさらに含むが、ＢＤ−ＲＥはＯＰＣ領域の近くに予備領域（reserved area）を含む。予備領域は以後に使用されるべきスペアの領域として動作する。外部領域は２個の他の情報領域ＩＮ３及びＩＮ４を含む。
【００２２】
内部領域にはディスク保護のための保護ゾーンＰｒ１及びＰｒ２が含まれ、外部領域にはディスク保護のための保護ゾーンＰｒ３が含まれる。具体的には、内部領域の最内周ディスク領域に位置された保護ゾーンは第１の保護ゾーン「Ｐｒ１」と呼ばれる。外部領域の最外周ディスク領域に位置された保護ゾーンは第３の保護ゾーン「Ｐｒ３」と呼ばれる。内部領域でＰＩＣ領域と情報領域ＩＮ２との間に位置された保護ゾーンは第２の保護ゾーン「Ｐｒ２」と呼ばれる。特に、第２の保護ゾーン「Ｐｒ２」はエンボスされたＰＩＣ領域と記録可能領域との間の変更領域を意味し、「変更用バッファ領域（buffer zone for changeover）」と呼ばれる。
【００２３】
本発明に係るＢＤ−Ｒ／ＲＥは、データをランド（Land）部とグルーブ（Groove）部を含む記録層の中でグルーブ部にデータを記録する。グルーブ部はＨＦＭグルーブとウォブルグルーブを含む。
【００２４】
多様な変調方式によって、ウォブルグルーブは、ＭＳＫ＋ＨＭＷ変調グルーブ及びＭＳＫ（Minimum Shift Keying）変調グルーブに分類される。ＭＳＫは、Ｍｉｎｉｍｕｍ  Ｓｈｉｆｔ  Ｋｅｙｉｎｇの頭文字を示し、ＨＭＷは、Ｈａｒｍｏｎｉｃ  Ｍｏｄｕｌａｔｅｄ  Ｗａｖｅの頭文字を示す。
【００２５】
特に、ウォブルグルーブは記録層に含まれたグルーブに正弦波と関連された変調方式を使用してウォブル形状の形態で構成される。光記録／再生デバイスは上述したウォブル形状を使用して対応するグルーブのアドレス情報（すなわち、ＡＤＩＰ：Address In Pre-groove）及び一般的なディスク情報を読み出すことができる。これに関する詳細な説明は、図５〜図８を参照して後述する。
【００２６】
上述の変調方式は、領域の固有特性によってディスクに含まれた個別領域に別に適用される。内部領域に含まれたＰｒ１領域及びＰＩＣ領域はＨＦＭグルーブの形態で構成される。外部領域に含まれたＰｒ３領域はＭＳＫ変調だけが適用されるウォブルグルーブの形態で構成される。上述の領域を除外した内部領域、外部領域及びデータ領域は、ＭＳＫ＋ＨＭＷ変調が適用されるウォブルグルーブの形態で構成される。
【００２７】
図２は、本発明に係るその内部にデータが記録できるシングルレイヤ光ディスク構造を示す図である。図１と比較すれば、図２に示されたシングルレイヤ光ディスク構造は外部領域に「ＤＣＺ（Drive Calibration zone）領域」をさらに含む。以下の説明は、主にＤＣＺ領域に基づいて開示され、ＤＣＺ領域以外の残りの部分は図１と同一なので、説明の便宜上その詳細な説明は省略する。
【００２８】
上述のように、ＤＣＺ領域は光記録／再生デバイスが多様な目的でディスクテストを実行することができるテストゾーンを示す。通常的に、ＯＰＣプロセスは他のテストゾーンとして動作するＯＰＣ領域と同様にＤＣＺ領域でも実行できる。当業者にはＯＰＣプロセスだけではなく他のテストもＤＣＺ領域で実行できることは自明であり、本発明は上述した実施例に制限されないで必要によって他の例に適用できる。
【００２９】
図１と比較すれば、図２に示されたＤＣＺ領域は、物理的に外部領域に含まれる。したがって、図２のＰｒ３領域は図１のＰｒ３領域に比べて追加的に割り当てられたＤＣＺ領域に対応する所定のサイズほど小さい。ＤＣＺ領域は内部領域に含まれたＯＰＣ領域（すなわち、２０４８クラスタ）に比べて小さいことが好ましい。例えば、ＤＣＺ領域には５１２クラスタが割り当てられる。上述の追加的に割り当てられたＤＣＺ領域は、ＭＳＫ＋ＨＭＷ変調方式を使用し、この変調方式は内部領域のＯＰＣ領域及びデータ領域でのようにＭＳＫ変調とＨＭＷ変調が混合された変調方式である。すなわち、新たに割り当てられたＤＣＺ領域はテストデータを記録／再生するように適応される。テストデータを正しく記録するためには、一般的なデータ領域におけるのと同じように信頼性が高いアドレス情報（すなわち、ＡＤＩＰ）が保障される必要がある。
【００３０】
図３Ａ及び図３Ｂは、本発明の好ましい実施形態に係るその内部にデータを記録することができるデュアルレイヤ光ディスク構造を示す図である。図３ＡにはデュアルレイヤのＢＤ−ＲＥが示されている。図３Ｂにはその内部にデータを記録することができるデュアルレイヤＢＤ−Ｒが示される。上述した説明と関連して、２個の記録層の中で一つは「Ｌａｙｅｒ０（Ｌ０）」と呼ばれ、残りの一つは「Ｌａｙｅｒ１（Ｌ１）」と呼ばれる。
【００３１】
図３Ａに示したように、本発明によれば、個別の記録層はデュアルレイヤＢＤ−ＲＥにおいて同一構造を有する。記録層Ｌ０の外部領域はＤＣＺ領域ＤＣＺ０を含み、記録層Ｌ１の外部領域はＤＣＺ領域ＤＣＺ１を含む。ＤＣＺ領域ＤＣＺ０とＤＣＺ１にはデータ領域におけるのと同様にＭＳＫ変調とＨＭＷ変調が混合されたＭＳＫ＋ＨＭＷ変調方式が適用される。
【００３２】
図３Ｂから分かるように、本発明に係る追記型デュアルレイヤＢＤ−Ｒは、個別の記録層Ｌ０及びＬ１の外部領域にＤＣＺ領域を含む。ＤＣＺ領域ＤＣＺ０及びＤＣＺ１は、データ領域におけるのと同様にＭＳＫ変調とＨＭＷ変調が混合されたＭＳＫ＋ＨＭＷ変調方式を使用する。
【００３３】
図３Ａに示したＢＤ−ＲＥと比較して、図３Ｂに示した追記型ＢＤ−Ｒは、追記型の特性により一層多い管理情報記録領域を要するので、内部領域にはＴＤＭＡ（Temporary Disc Management Area）が追加され、第２の記録層Ｌ１の内部領域はＨＦＭによりエンボスされたＰＩＣ領域の代わりにＯＰＣ領域（ＯＰＣ１）を含む。
【００３４】
上述の説明と関連して、本発明のＤＣＺ領域は、図３Ｂに示した追記型ＢＤ−Ｒに対して一層効率的に使用できる。より詳しく説明すれば、追記型ＢＤ−Ｒは上述のように追記型の記録特性により一層多い管理情報記録層を要求するので、内部領域のＯＰＣ領域を取り替えることができる新しいテスト領域としてＤＣＺ領域を使用して、ＯＰＣ領域の不足により追記型ＢＤ−Ｒにそれ以上はデータが記録されない問題点を防止する。
【００３５】
図４Ａ及び図４Ｂは、本発明の他の好ましい実施形態に係るその内部にデータを記録することができるデュアルレイヤ光ディスク構造を示す図である。図４Ａ及び図４Ｂには、個別の記録層にＤＣＺ領域を割り当てる方法が示される。
【００３６】
上述の説明と関連して、図４Ａ及び図４Ｂは、説明の便宜上、追記型記録可能なディスク（例えば、ＢＤ−Ｒ）を例示的に示しているが、本発明の技術的思想は上述のように書換可能なディスク（例えば、ＢＤ−ＲＥ）にも適用できる。
【００３７】
図４Ａに示したように、ＤＣＺ領域ＤＣＺ０及びＤＣＺ１を個別の記録層の個別の外部領域に割り当てるとき、ＤＣＺ領域ＤＣＺ０及びＤＣＺ１は、光ビームの進行方向を基準として物理的に同一な方向に位置されない。
【００３８】
すなわち、ＤＣＺ領域が内部領域のＯＰＣ領域におけるのと同様にＯＰＣプロセスのために使用されると仮定すれば、所定のパワー値がＯＰＣプロセスのために高パワーから低パワーの方向にまたは低パワーから高パワーの方向に漸進的に使用され、または基準パワーに基づいて所定の範囲に含まれるパワー値がＯＰＣプロセスのために使用される。
【００３９】
相互に隣接した記録層の間の光ビームの進行方向を基準としてＤＣＺ領域ＤＣＺ０及びＤＣＺ１が物理的に同一な方向に位置されると仮定すれば、実際に使用されたＤＣＺ領域（例えば、ＤＣＺ０）以外の隣接記録層に含まれたＤＣＺ領域（例えば、ＤＣＺ１）でも光ビームの干渉発生確率が増加して、ＯＰＣプロセスを使用して光記録パワーを算出するプロセスに否定的な影響を発生させる。このように、内部領域に含まれるＯＰＣ領域ＯＰＣ０及びＯＰＣ１は光ビームの進行方向を基準として同一な方向に物理的に位置されない。
【００４０】
したがって、第２の記録層の外部領域は、光ビームの進行方向を基準として第１の記録層のＤＣＺ領域（ＤＣＺ０）と同一な方向に位置されるバッファ領域をさらに含み、ＤＣＺ領域（ＤＣＺ１）は外部方向に割り当てられる。言うまでもなく、第１の記録層Ｌ０と第２の記録層Ｌ１の個別の外部領域の割り当て方法は、どの手順で実行されることも可能である。例えば、第１の記録層Ｌ０の外部領域には、光または光ビームの進行方向を基準として第２の記録層Ｌ１のＤＣＺ領域（ＤＣＺ１）と同一な方向に、バッファ領域が追加でき、ＤＣＺ領域（ＤＣＺ０）も外部方向に割り当てることができる。
【００４１】
上記の説明と関連して、ＤＣＺ領域（ＤＣＺ０及びＤＣＺ１）は、データ領域におけるのと同じようにＭＳＫ変調とＨＭＷ変調が混合されたＭＳＫ＋ＨＭＷ変調方式を使用する。
【００４２】
図４Ｂから分かるように、ＤＣＺ領域は個別の記録層の外部領域だけではなく隣接するデータ領域にも割り当てられることにその特徴がある。すなわち、記録層は第１のタイプの記録層（例えば、Ｌ１）及び第２のタイプの記録層（例えば、Ｌ０）に分類される。ＤＣＺ領域（ＤＣＺ１）は第１のタイプの記録層の外部領域に含まれ、ＤＣＺ領域（ＤＣＺ０）は第２のタイプの記録層の外部領域に隣接するデータ領域に含まれ、第１のタイプの記録層及び第２のタイプの記録層は光ディスクに相互に含まれる。
【００４３】
図５〜図８は、本発明に係る変調方式を示すグラフである。
【００４４】
図５は、ＭＳＫ変調方式を示す。具体的には、外部領域に含まれたＰｒ３領域（すなわち、保護ゾーン３）はＭＳＫ変調だけによって形成される。
【００４５】
図５に示したように、ＭＳＫ変調方式は、ウォブル周波数ｆwobでコサイン変換を実行することによって具現される。一般的なウォブルは、「ｍｏｎｏｔｏｎｅ  ｗｏｂｂｌｅ（ＭＷ）」と呼ばれ、ウォブル周波数ｆwob及び余弦（コサイン）コードを変更して生成された３個のウォブルは、「ＭＳＫ  Ｍａｒｋ  ｗｏｂｂｌｅｄ（ＭＭ）」と呼ばれる。
【００４６】
図６は、ＨＭＷ変調方式を示す。具体的には、内部領域に含まれたＯＰＣ領域と、外部領域に含まれたＤＣＺ領域及びデータ領域は、ＨＭＷ変調とＭＳＫ変調が混合されたＭＳＫ＋ＨＭＷ変調方式により形成される。
【００４７】
上記説明に関連して、図６に示したように、ＨＭＷ変調方式は、第１のウォブル周波数ｆwobで実行されるコサイン変換と第２のウォブル周波数２＊ｆwobで実行されるサイン変換により具現される。サイン変換がプラス（＋）コードを有すれば、「１」の値が決定される。サイン変換がマイナス（−）コードを有すれば、「０」の値が決定される。上述の方式により形成されたウォブルは、「ｓａｗｔｏｏｔｈ  ｗｏｂｂｌｅ（ＳＴＷ）」と呼ばれる。その値が「１」であるｓａｗｔｏｏｔｈ  ｗｏｂｂｌｅ（ＳＴＷ）は、ＳＴＷ（“１”）と呼ばれる。その値が「０」であるｓａｗｔｏｏｔｈ  ｗｏｂｂｌｅ（ＳＴＷ）は、ＳＴＷ（“０”）と呼ばれる。
【００４８】
図７は、ＭＳＫ＋ＨＭＷ変調方式を使用してＡＤＩＰユニットを識別する方法を示す。図７から分かるように、１つのＡＤＩＰユニットは５６個のウォブルを含む。すべてのＡＤＩＰユニットの３個の先頭ウォブルは、ＭＳＫマーク（ＭＭ）でそれぞれ構成される。ＡＤＩＰユニットはウォブルタイプによって次のようなユニットに分類される。
【００４９】
すなわち、「１ＭＭ＋５３ＭＷ」で構成されたＡＤＩＰユニットは、「ｍｏｎｏｔｏｎｅ  ｕｎｉｔ」と呼ばれ、「１ＭＭ＋１５ＭＷ＋３７ＳＴＷ（“０”）＋１ＭＷ」で構成されたＡＤＩＰユニットは、「ｒｅｆｅｒｅｎｃｅ  ｕｎｉｔ」と呼ばれる。
【００５０】
「１ＭＭ＋１３ＭＷ＋１ＭＭ＋７ＭＷ＋１ＭＭ＋２７ＭＷ」で構成されたＡＤＩＰユニットは、「ｓｙｎｃ＿０  ｕｎｉｔ」と呼ばれる。「１ＭＭ＋１５ＭＷ＋１ＭＭ＋７ＭＷ＋１ＭＭ＋２５ＭＷ」で構成されたＡＤＩＰユニットは、「ｓｙｎｃ＿１  ｕｎｉｔ」と呼ばれる。「１ＭＭ＋１７ＭＷ＋１ＭＭ＋７ＭＷ＋１ＭＭ＋２３ＭＷ」で構成されたＡＤＩＰユニットは、「ｓｙｎｃ＿２  ｕｎｉｔ」と呼ばれる。「１ＭＭ＋１９ＭＷ＋１ＭＭ＋７ＭＷ＋１ＭＭ＋２１ＭＷ」で構成されたＡＤＩＰユニットは、「ｓｙｎｃ＿３  ｕｎｉｔ」と呼ばれる。
【００５１】
「１ＭＭ＋９ＭＷ＋１ＭＭ＋３ＭＷ＋３７ＳＴＷ（“０”）」で構成されたＡＤＩＰユニットは、「ｄａｔａ＿１  ｕｎｉｔ」と呼ばれる。「１ＭＭ＋１１ＭＷ＋１ＭＭ＋１ＭＷ＋３７ＳＴＷ（“１”）＋１ＭＷ」で構成されたＡＤＩＰユニットは、「ｄａｔａ＿０  ｕｎｉｔ」と呼ばれる。すなわち、「ｄａｔａ＿１  ｕｎｉｔ」が判定されると、「１」の値が確立される。「ｄａｔａ＿０  ｕｎｉｔ」が判定されると、「０」の値が確立される。
【００５２】
図８は、図７に示したＡＤＩＰユニットが８３個集まって１つのＡＤＩＰワードを構成する方法を示した図である。
【００５３】
図８から分かるように、ＡＤＩＰワードの先頭９個のＡＤＩＰユニットは、順番に「ｍｏｎｏｔｏｎｅ  ｕｎｉｔ」、「ｓｙｎｃ＿０  ｕｎｉｔ」、「ｍｏｎｏｔｏｎｅ  ｕｎｉｔ」、「ｓｙｎｃ＿１  ｕｎｉｔ」、「ｍｏｎｏｔｏｎｅ  ｕｎｉｔ」、「ｓｙｎｃ＿２  ｕｎｉｔ」、「ｍｏｎｏｔｏｎｅ  ｕｎｉｔ」、「ｓｙｎｃ＿３  ｕｎｉｔ」及び「ｒｅｆｅｒｅｎｃｅ  ｕｎｉｔ」を含む。
【００５４】
１０番目のＡＤＩＰユニット（すなわち、ＡＤＩＰ  ｕｎｉｔ  ｎｕｍｂｅｒ＝９）から８３番目のＡＤＩＰユニット（すなわち、ＡＤＩＰ  ｕｎｉｔ  ｎｕｍｂｅｒ＝８２）までのＡＤＩＰユニットは、各々図７に示した「ｄａｔａ＿０  ｕｎｉｔ」または「ｄａｔａ＿１  ｕｎｉｔ」の中でいずれかの１つで構成される。ＡＤＩＰユニットを４ビットずつ組み合わせて１５個のユニットを形成すると、このように形成されたユニットは「ＡＤＩＰ  ｃｏｄｅｗｏｒｄ  ｎｉｂｂｌｅ  ｎｕｍｂｅｒｓ（ｃ０〜ｃ１４）」と呼ばれる。
【００５５】
上記「ＡＤＩＰ  ｃｏｄｅｗｏｒｄ  ｎｉｂｂｌｅ  ｎｕｍｂｅｒ（ｃ０〜ｃ１４）」には、対応するウォブルの物理的アドレス（すなわち、「ＰＡＡ：Ｐｈｙｓｉｃａｌ  ＡＤＩＰ  Ａｄｄｒｅｓｓ」）及び補助データが記録される。光記録／再生デバイスは１つのＡＤＩＰワードを読み出して、現在のディスクの「ＰＡＡ」位置を認識することができる。
【００５６】
図５〜図８に示した技術思想は、ＭＳＫ＋ＨＭＷ変調方式が適用されるすべての領域に適用される。したがって、外部領域に含まれるＤＣＺ領域にもＭＳＫ＋ＨＭＷ変調方式が適用される。
【００５７】
ＤＣＺ領域にＭＳＫ＋ＨＭＷ変調方式が適用される理由は、次のとおりである。ＤＣＺ領域は実際のテストデータを記録する特定の領域を示す。したがって、Ｐｒ３（すなわち、保護ゾーン３）領域におけるのと同じようにＤＣＺ領域にＭＳＫ変調方式だけが適用される場合には、ＨＭＷ変調に起因する「ｓａｗｔｏｏｔｈ  ｗｏｂｂｌｅ（ＳＴＷ）」が使用されないようになって、図７に示したＡＤＩＰユニットの中で「ｍｏｎｏｔｏｎｅ  ｕｎｉｔ」と「ｒｅｆｅｒｅｎｃｅ  ｕｎｉｔ」が相互に区別できないし、また、「ｄａｔａ＿１  ｕｎｉｔ」と「ｄａｔａ＿０  ｕｎｉｔ」を区別するにおいて予期せぬエラーが発生する場合がある。
【００５８】
この予期せぬエラーの発生を防止するため、ＤＣＺ領域はＭＳＫ変調方式だけが適用されるＰｒ３領域（すなわち、保護ゾーン３）とは別にＭＳＫ＋ＨＭＷ変調方式を使用可能であることが望ましい。
【００５９】
記録層として動作する複数のレイヤが存在する場合、提供される記録媒体にも本発明が適用できる。
【００６０】
図９は、光ディスクのＯＰＣ領域及びＤＣＺ領域を管理することができる管理情報を記録する方法を示す概念図である。
【００６１】
より具体的に、光ディスクの内部領域及び／または外部領域にはＤＭＡ（Disc Management Area）及び／またはＴＤＭＡ（Temporary DMA）が含まれる。ＯＰＣ領域及びＤＣＺ領域の管理情報はＴＤＭＡまたはＤＭＡに記録される。
【００６２】
すなわち、ＢＤ−Ｒなどの追記型の記録可能なディスクの場合にはＴＤＭＡに管理情報が記録され、ＢＤ−ＲＥなどの書換可能なディスクの場合にはＤＭＡに管理情報が記録される。図１に示したように、ＤＭＡは一般的に内部領域の情報領域ＩＮ１及びＩＮ２または外部領域の他の情報領域ＩＮ３及びＩＮ４に含まれる。
【００６３】
上述の説明に関連して、ＯＰＣ領域及びＤＣＺ領域の管理情報は、例えば、開始アドレス情報及び／または終了アドレス情報などディスクの記録層ごとに対してＯＰＣ領域及びＤＣＺ領域の位置を示す情報（すなわち、「ＯＰＣｓ  ｌｏｃａｔｉｏｎ  ｉｎｆｏ」及び「ＤＣＺｓ  ｌｏｃａｔｉｏｎ  ｉｎｆｏ」）を含み、かつ個別のＯＰＣ領域及びＤＣＺ領域で現在使用可能な位置を示す情報（すなわち、「Ｎｅｘｔ  ａｖａｉｌａｂｌｅ  ＰＳＮ  ｉｎ  ｅａｃｈ  ＯＰＣ」及び「Ｎｅｘｔ  ａｖａｉｌａｂｌｅ  ＰＳＮ  ｉｎ  ｅａｃｈ  ＤＣＺ」）を含むことができる。
【００６４】
したがって、ディスクが光記録／再生デバイスに装着されると、光記録／再生デバイスはＴＤＭＡまたはＤＭＡに含まれたＯＰＣ領域及びＤＣＺ領域の管理情報を読み出す。
【００６５】
したがって、光記録／再生デバイスは、ディスクに含まれたＯＰＣ領域の位置情報及び利用可能なＯＰＣ領域のその他の位置情報を認識し、かつＤＣＺ領域の位置情報及び利用可能なＤＣＺ領域のその他の位置情報を認識して、認識された位置でＯＰＣプロセスを実行する。
【００６６】
ＯＰＣ領域及びＤＣＺ領域と関連する管理情報が、図２〜図４Ｂに示されたすべての光ディスクに同等に適用されることは、当業者には自明である。
【００６７】
図１０は、本発明によるＯＰＣプロセスを実行する方法を示す概念図である。
【００６８】
記録媒体内で光記録／再生デバイスの記録媒体トラッキング（tracking）方向は、低ＰＳＮ（Physical Section Number）から高ＰＳＮの方向にＰＳＮが増加するＰＳＮ増加方向で決定される。記録媒体でＯＰＣプロセスを実行する方向は、高ＰＳＮから低ＰＳＮの方向にＰＳＮが減少するＰＳＮ減少方向で決定される。
【００６９】
ＯＰＣプロセス以後の記録方向は、トラッキング方向と同様に低ＰＳＮから高ＰＳＮへのＰＳＮ増加方向で決定される。
【００７０】
上述の説明に関連して、記録媒体のデータ領域でデータを記録する単位は１クラスタ単位であるので、ＯＰＣ領域でＯＰＣプロセスを実行することによりデータを記録する単位は正確に１クラスタ単位に対応することが可能である。しかし、ＯＰＣプロセスにより取得されるデータ記録領域は１クラスタ以下であるか、１クラスタ以上であることもある。
【００７１】
すなわち、ＯＰＣプロセスを実行するために記録されるデータの単位は、ＡＵＮ（Address Unit Number）と同一である。ＡＵＮはデータ記録時間の間に使用されるアドレス情報を示す。データ記録以前に形成される事前領域として機能する未使用ＯＰＣ領域が上述したＡＵＮ情報を含まないことは、当業者には自明である。
【００７２】
この場合、ＡＵＮはクラスタの範囲以下の範囲を有する単位として機能し、１つのクラスタは１６個のＡＵＮを含む。
【００７３】
より具体的には、１つのＯＰＣプロセスの実行長は、光記録／再生デバイスにより選択され、物理的クラスタの数により制限されない。
【００７４】
図１０は、３個のＯＰＣプロセスが実行される特定の場合を示す。より具体的には、図１０は、各々ＯＰＣプロセスを実行する複数の部分と、個別の部分を識別するための複数のＯＰＣマーカー（marker）と、を示している。
【００７５】
第１のＯＰＣプロセスを実行する部分は「Ｃｌｕｓｔｅｒ＃Ｐ＋１」で表示され、第１の部分は「ＯＰＣ＃Ｍ」で表示され、第２の部分は「ＯＰＣ  Ｍａｒｋｅｒ＃Ｍ」で表示される。「ＯＰＣ＃Ｍ」の部分はその内部にデータを記録し、「ＯＰＣ  Ｍａｒｋｅｒ＃Ｍ」の部分は「ＯＰＣ＃Ｍ」部分を識別する。
【００７６】
第２のＯＰＣプロセスを実行する部分は、「Ｃｌｕｓｔｅｒ＃Ｐ」と、「Ｃｌｕｓｔｅｒ＃Ｎ」と、「Ｃｌｕｓｔｅｒ＃Ｎ−１」の一部を含む。「ＯＰＣ＃Ｍ＋１」に表示された部分はデータを記録し、「ＯＰＣ  Ｍａｒｋｅｒ＃Ｍ＋１」は「ＯＰＣ＃Ｍ＋１」部分を識別する。
【００７７】
第３のＯＰＣプロセスを実行する部分は「Ｃｌｕｓｔｅｒ＃Ｎ−１」の部分の一部で構成される。より具体的には、第３のＯＰＣプロセスを実行する部分は「ＯＰＣ＃Ｍ＋２」及び「ＯＰＣ  Ｍａｒｋｅｒ＃Ｍ＋２」を含む。「ＯＰＣ＃Ｍ＋２」の部分はデータを記録し、「ＯＰＣ  Ｍａｒｋｅｒ＃Ｍ＋２」の部分は「ＯＰＣ＃Ｍ＋２」の部分を識別する。この場合、「ＯＰＣ  Ｍａｒｋｅｒ＃Ｍ＋２」の部分以前に位置された「Ｃｌｕｓｔｅｒ＃Ｎ−２」の部分と「Ｃｌｕｓｔｅｒ＃Ｎ−１」の部分の一部は未使用クラスタ領域として機能する。
【００７８】
上述の説明と関連して、ＯＰＣプロセスと関連するデータ記録領域を識別することができるＯＰＣマーカーの中で２個の連続的なＯＰＣマーカーの間の距離は１６クラスタに対応する所定の長さと同一であるかそれよりも小さい。例えば、少なくとも１６クラスタを要求するＯＰＣプロセスで上述した要件を満たすためには、ＯＰＣマーカーがＯＰＣプロセスに挿入されなければならない。この場合、上述したＯＰＣマーカーは少なくとも８６８ＮＷＬｓ（Nominal Wobble Lengths）に対応する所定の長さを有する必要がある。
【００７９】
図１０に示した「ＯＰＣ＃Ｍ」の部分はＯＰＣ領域で１つのクラスタ（すなわち、１クラスタ）を占める。「ＯＰＣ＃Ｍ＋１」の部分はＯＰＣ領域で１クラスタより大きい所定の領域を占める。「ＯＰＣ＃Ｍ＋２」の部分はＯＰＣ領域で１クラスタよりも小さい所定の領域を占める。ＯＰＣプロセスはクラスタ単位より小さい単位で、例えば、ＡＵＮ単位で実行されることが理解できる。
【００８０】
図１１は本発明に係るＯＰＣ開始位置を検索する方法を示す概念図である。
【００８１】
図１１には、ＯＰＣ領域の中で１クラスタが示される。
このような１クラスタは、１３９４４ウォブル、２４９ＡＤＩＰユニット、４９８シンクフレーム（sync frame）及び３ＡＤＩＰワードに対応する。上記説明に関連して、１ＡＤＩＰワードは８３ＡＤＩＰユニットを含み、ＡＤＩＰユニットは５６ウォブルを含む。１クラスタは１６ＡＵＮを含む。この場合、ウォブルはＮＷＬ（Nominal Wobble Length）を示す。
【００８２】
例えば、１クラスタに含まれた既使用（すなわち、最後に使われた）ＯＰＣ領域（すなわち、ＡＵＮ６〜ＡＵＮ１５）は１０ＡＵＮ（Address Unit Number）を示し、未使用のＯＰＣ領域はＡＵＮ０からＡＵＮ５までの６ＡＵＮを示す。最後に使われたＯＰＣ領域でのＡＵＮ６は、図１０で説明したように、ＡＵＮ６の前にＯＰＣマーカーを挿入することにより検出できる。現在のＯＰＣプロセスのために必要な所定のサイズを示すＯＰＣ実行サイズは光記録／再生デバイスによりあらかじめ決定され、これは多様な方式で確立できる。ＯＰＣ実行サイズはＡＵＮ２からＡＵＮ５までの４ＡＵＮと同一であると仮定する。
【００８３】
したがって、ユーザがＡＵＮ２の所定の位置から新しいＯＰＣプロセスの実行を希望する場合、ユーザはＡＵＮ２に対応する物理的位置を検索しなければならない。
【００８４】
したがって、ウォブルカウントプロセスを使用してＯＰＣ開始位置を決定するためには、ウォブルカウント基準位置（Wobble count reference position）を探すことを要求する。光記録／再生デバイスの検出プロセスで所定の基準ウォブルが検出されると、検出された基準ウォブルはウォブルカウント基準位置であると考慮される。好ましくは、ウォブルカウント基準位置がクラスタの開始位置と同一である。
【００８５】
ウォブルカウント基準位置を示す上記クラスタ開始位置は、ＡＤＩＰワードの開始位置と同一である。図７〜図９を参照すれば、ＡＤＩＰワードの９個の先頭のＡＤＩＰユニットは、その順番に「ｍｏｎｏｔｏｎｅ  ｕｎｉｔ」、「ｓｙｎｃ＿０  ｕｎｉｔ」、「ｍｏｎｏｔｏｎｅ  ｕｎｉｔ」、「ｓｙｎｃ＿１  ｕｎｉｔ」、「ｍｏｎｏｔｏｎｅ  ｕｎｉｔ」、「ｓｙｎｃ＿２  ｕｎｉｔ」、「ｍｏｎｏｔｏｎｅ  ｕｎｉｔ」、「ｓｙｎｃ＿３  ｕｎｉｔ」、及び「ｒｅｆｅｒｅｎｃｅ  ｕｎｉｔ」に対応する。したがって、光記録／再生デバイスの検索時間の間、ＡＤＩＰワードの先頭の９個のＡＤＩＰユニットが順番に検出されるか、または最初の「ｍｏｎｏｔｏｎｅ  ｕｎｉｔ」が検出されると、ＡＤＩＰワード開始位置が確立される。すなわち、クラスタ開始位置はウォブルカウント基準位置であると考慮される。
【００８６】
上述した基準位置の他の例によれば、１クラスタに含まれたＡＤＩＰワード開始位置をウォブルカウント基準位置であると考慮することが好ましい。
【００８７】
言い替えれば、１クラスタは３個のＡＤＩＰワードを含む。この場合に、次のＯＰＣ開始位置が「ＡＤＩＰ  Ｗｏｒｄ１」領域または「ＡＤＩＰ  Ｗｏｒｄ２」領域にあれば、「ＡＤＩＰ  Ｗｏｒｄ２」の開始位置を示すＡＤＩＰワードの先頭９個のＡＤＩＰユニットは、その順番に「ｍｏｎｏｔｏｎｅ  ｕｎｉｔ」、「ｓｙｎｃ＿０  ｕｎｉｔ」、「ｍｏｎｏｔｏｎｅ  ｕｎｉｔ」、「ｓｙｎｃ＿１  ｕｎｉｔ」、「ｍｏｎｏｔｏｎｅ  ｕｎｉｔ」、「ｓｙｎｃ＿２  ｕｎｉｔ」、「ｍｏｎｏｔｏｎｅ  ｕｎｉｔ」、「ｓｙｎｃ＿３  ｕｎｉｔ」、「ｒｅｆｅｒｅｎｃｅ  ｕｎｉｔ」に対応する。
【００８８】
しかし、最初の「ｍｏｎｏｔｏｎｅ  ｕｎｉｔ」が検出される場合、「ＡＤＩＰ  Ｗｏｒｄ１」領域の開始位置または「ＡＤＩＰ  Ｗｏｒｄ２」領域の開始位置がウォブルカウント基準位置であると決定され、ウォブル数がカウントされることが可能である。
【００８９】
したがって、ウォブルカウント基準位置が決定され、記録された領域として動作する既に使用されたＯＰＣ領域のサイズ情報及び現在のＯＰＣプロセスに必要なＯＰＣ領域のサイズ情報が認識されると、光記録／再生デバイスはウォブルカウント基準位置でウォブルの数をカウントし、ドライブが希望するＯＰＣ開始位置を検索する。
【００９０】
図１１に示した好ましい実施形態によれば、ドライブはＡＵＮ０からＡＵＮ１までの２個のウォブルをカウントする。１つのＡＵＮは８６８ウォブル長に対応する。したがって、２個のＡＵＮは８６８×２ウォブル長に対応し、ドライブは８６８×２ウォブルの数をカウントしてＯＰＣ開始位置を決定し、決定されたＯＰＣ開始位置で最適記録パワーを算出するためにＯＰＣプロセスを実行する。
【００９１】
図１２は、本発明に係る光記録／再生デバイスを示すブロック図である。
【００９２】
図１２を参照すれば、光記録／再生デバイスは、光ディスクにデータを記録して／光ディスクからデータを再生する記録再生部２０と、記録再生部２０を制御する制御部１２と、を含む。
【００９３】
記録再生部２０は、ピックアップ部１１と、信号プロセッサ１３と、サーボ部１４と、メモリ１５と、マイクロプロセッサ１６と、を含む。ピックアップ部１１は光ディスクに直接データを記録し、または光ディスクに記録されたデータを読み出す。信号プロセッサ１３は、ピックアップ部１１から読み出された信号を受信し、受信された信号を所望する信号値に復元するか、または記録される信号を光ディスクに記録される他の信号に変調して、復元された結果または変調された結果を伝達する。サーボ部１４はピックアップ部１１の動作を制御し、光ディスクから所望する信号を正確に読み出し、光ディスクに信号を正確に記録する。メモリ１５はＰＩＣデータを含む管理情報だけではなくデータも一時的に格納する。マイクロプロセッサ１６は上述した各部の全体的な動作を制御する。
【００９４】
上述の記録再生部２０は、記録媒体のテスト領域に所定のテストを実行して最適記録パワーを算出する。記録再生部２０は、算出された最適記録パワーを記録し、制御部１２から記録命令を受信すれば、当該算出された最適記録パワーで記録媒体にデータを記録する。
【００９５】
記録再生部２０は、記録媒体として機能する光ディスクが初期化プロセスでフォーマットされたか否かを判定する。光ディスクがフォーマットされなかった場合、記録再生部２０は光ディスクのフォーマットを実行する。
【００９６】
上述のように、記録再生部２０だけで構成された光記録／再生デバイスをドライブと言って、これは一般的にコンピュータの周辺機器として使用される。
【００９７】
制御部１２は全体的な構成要素の動作を制御する。本発明と関連して、制御部１２はユーザとのインターフェースを通じてユーザ命令を参照して光ディスクにデータを記録するか光ディスクからデータを再生することができる記録／再生命令を記録再生部２０に伝達する。
【００９８】
デコーダ１７は、制御部１２から制御信号を受信すれば、光ディスクから読み出された信号をデコードし、デコードされた信号を所望する情報に復元して復元された信号をユーザに伝達する。
【００９９】
エンコーダ１８は、所望する信号を光ディスクに記録するための制御信号を制御部１２から受信し、受信された信号を特定のフォーマットの信号（例えば、ＭＰＥＧ−２トランスポートストリーム）に変換し、このような特定のフォーマットの信号を信号プロセッサ１３に伝達する。
【０１００】
以下、本発明に係る上記光記録／再生デバイスを使用して記録媒体にデータを記録する方法について、図１３〜図１６を参照して説明する。
【０１０１】
図１３は、本発明の好ましい第１の実施形態に係る光記録／再生デバイスを使用して記録媒体にデータを記録する方法を示すフローチャートである。特に、図１３には、最適記録パワーを算出する方法が示される。
【０１０２】
図１３を参照すれば、ＯＰＣ領域及びＤＣＺ領域を含む物理的構造の光ディスクが光記録／再生デバイスに装着される場合、記録再生部２０のマイクロプロセッサ１６はサーボ部１４を使用してピックアップ部１１の動作を制御し、ステップＳ１１では、装着されたディスクのＴＤＭＡまたはＤＭＡに記録されたＯＰＣ領域管理情報及びＤＣＺ領域管理情報（例えば、「ＯＰＣ  ｌｏｃａｔｉｏｎ  ｉｎｆｏ」、「Ｎｅｘｔ  ａｖａｉｌａｂｌｅ  ＰＳＮ  ｏｆ  ＯＰＣ」、「ＤＣＺ  ｌｏｃａｔｉｏｎ  ｉｎｆｏ」及び「Ｎｅｘｔ  ａｖａｉｌａｂｌｅ  ＰＳＮ  ｏｆ  ＤＣＺ」）を読み出して、ＯＰＣ領域管理情報及びＤＣＺ領域管理情報をメモリ１５に一時的に格納する。
【０１０３】
ステップＳ１２で、マイクロプロセッサ１６は、上述の管理情報を参照してＯＰＣプロセスが実行される正確な位置を認識する。ステップＳ１３で、マイクロプロセッサ１６はＯＰＣプロセスを実行するための命令を受信し、管理情報により認識された上記位置でＯＰＣプロセスを実行する。具体的には、ＯＰＣプロセスは、ＯＰＣ領域及びＤＣＺ領域で実行され、装着された光ディスクに使用できる最適記録パワーがステップＳ１４及びステップＳ１６で算出される。ステップＳ１４及びステップＳ１６で最適記録パワーが算出されると、マイクロプロセッサ１６は、ステップＳ１５及びステップＳ１７で、次のＯＰＣ位置と関連する管理情報として「ｎｅｘｔ  ａｖａｉｌａｂｌｅ  ＰＳＮ  ｏｆ  ＯＰＣ」情報及び「ｎｅｘｔ  ａｖａｉｌａｂｌｅ  ＰＳＮ  ｏｆ  ＤＣＺ」情報をアップデートする。
【０１０４】
特に、ＯＰＣプロセスを実行することができるＯＰＣ領域と、ＤＣＺ領域との両方にＭＳＫ＋ＨＭＷ変調方式が適用されるので、ＡＤＩＰ情報はグルーブトラックから安定的に読み出すことができる。ステップＳ１２では、読み出されたＡＤＩＰ情報からＯＰＣ領域管理情報及びＤＣＺ領域管理情報に対応する物理的位置が認識される。
【０１０５】
制御部１２から対応ディスクにデータを記録するための命令を受信すれば、記録再生部２０は算出された最適記録パワーを使用して上記記録命令を実行する。それに関する詳細な説明は、図１４を参照して説明する。
【０１０６】
図１４は、本発明の好ましい第２の実施形態に係る光記録／再生デバイスを使用して記録媒体にデータを記録する方法を示すフローチャートである。
【０１０７】
図１４を参照すれば、記録再生部２０に含まれたマイクロプロセッサ１６は制御部１２から記録命令を受信する。ステップＳ２１で、記録命令はディスクに記録されるデータ及び位置情報を記録することにより行われる。
【０１０８】
したがって、ステップＳ２２で、マイクロプロセッサ１６は記録命令に含まれた記録位置の情報に基づいてデータが記録される最適記録パワーを選択する。例えば、記録位置がディスクの内部領域の近くにあれば、ステップＳ２３で、マイクロプロセッサ１６はＯＰＣ領域から算出された最適記録パワー（すなわち、ステップＳ１４で算出された記録パワー）を使用する。記録位置がディスクの外部領域の近くにあれば、ステップＳ２４で、マイクロプロセッサ１６はＤＣＺ領域から算出された最適記録パワー（すなわち、ステップＳ１６で算出された記録パワー）を使用する。
【０１０９】
図１５は、本発明の好ましい第３の実施形態に係る光記録／再生デバイスを使用して記録媒体にデータを記録する方法を示すフローチャートである。
【０１１０】
図１５を参照すれば、ステップＳ３１で、ＯＰＣ領域及び／またはＤＣＺ領域を含む物理的構造の光ディスクが光記録／再生デバイスに装着される場合、光記録／再生デバイスに含まれた記録再生部２０のマイクロプロセッサ１６はサーボ部１４を使用してピックアップ部１１の動作を制御し、ステップＳ３２で、装着された光ディスクから情報を読み出し、光ディスクがディスク初期化プロセスでフォーマットされたか否かを判定する。
【０１１１】
ステップＳ３２で、光ディスクがフォーマットされたと判定されると、ステップＳ３３で、マイクロプロセッサ１６はＯＰＣプロセスを実行して最適記録パワーを算出する。
【０１１２】
以下、２個のレイヤ「Ｌａｙｅｒ０（Ｌ０）」及び「Ｌａｙｅｒ１（Ｌ１）」で構成されたデュアルレイヤ光ディスクでＯＰＣプロセスを実行する方法と関連する多様な実施形態について説明する。
【０１１３】
本発明の好ましい第１の実施形態によれば、レイヤＬ０の最適記録パワーを算出するＯＰＣプロセスはＯＰＣ０領域及びＤＣＺ０領域を使用して実行され、これと同時に、ＯＰＣ１領域及びＤＣＺ１領域を使用してレイヤＬ１の最適記録パワーを算出する他のＯＰＣプロセスが実行される。この場合、ユーザから命令を受信する制御部１２はテスト領域の中でどの領域が先にＯＰＣプロセスを実行するか否かを判定することができる。
【０１１４】
すなわち、本発明の好ましい第１の実施形態によれば、テスト領域の最適記録パワーが算出され、算出された情報はテスト領域に記録され、算出された最適記録パワーはデータ領域にデータが記録されるときに使用される。
【０１１５】
本発明の好ましい第２の実施形態によれば、最適記録パワーを算出するＯＰＣプロセスはレイヤＬ０のテスト領域として機能するＯＰＣ０領域及びＤＣＺ０領域を使用して実行される。制御部１２からユーザ記録命令を受信すれば、レイヤＬ１にデータが記録されるときの最適記録パワーを算出するＯＰＣプロセスはレイヤＬ１のテスト領域として機能するＯＰＣ１領域及びＤＣＺ１領域で実行される。
【０１１６】
この場合、ユーザから命令を受信する制御部１２は、ＯＰＣ０領域及びＤＣＺ０領域からなるテスト領域の中でどの領域が先にＯＰＣプロセスを実行するか否かを決定することができる。
【０１１７】
本発明の好ましい第３の実施形態によれば、光ディスクの内部領域のテスト領域として機能するＯＰＣ０領域及び内部領域のテスト領域として機能するＯＰＣ１領域を全部使用して最適記録パワーを算出するＯＰＣプロセスが実行される。制御部１２からユーザ記録命令を受信すれば、光ディスクの外部領域０のテスト領域として機能するＤＣＺ０領域及び外部領域１のテスト領域として機能するＤＣＺ１領域で、光ディスクにデータが記録される時の最適記録パワーを算出するＯＰＣプロセスが実行される。
【０１１８】
この場合、ユーザから命令を受信する制御部１２は、ＯＰＣ０領域及びＯＰＣ１領域からなるテスト領域の中でどの領域が先にＯＰＣプロセスを実行するかを決定することができる。
【０１１９】
本発明の好ましい第４の実施形態によれば、光ディスクの内部領域のテスト領域として機能するＯＰＣ０領域を使用して最適記録パワーを算出するＯＰＣプロセスが実行される。制御部１２からユーザ記録命令を受信すれば、光ディスクにデータが記録されるときの最適記録パワーを算出するＯＰＣプロセスは、３個の領域、すなわち、光ディスクの外部領域０のテスト領域として機能するＤＣＺ０領域及びレイヤＬ１のテスト領域として機能するＯＰＣ１領域とＤＣＺ１領域で実行される。
【０１２０】
上記説明と関連して、本発明の好ましい第２の実施形態によれば、光記録／再生デバイスが記録媒体として機能するディスクにデータを記録する場合、レイヤＬ０はＯＰＣプロセスを実行して最適記録パワーを算出し、データが記録されるデータ領域の位置情報によって算出された最適記録パワーを使用してデータを読み出す。レイヤＬ１はデータが記録されるデータ領域の位置情報によってデータ記録動作を実行する。より具体的には、データが光ディスクのデータ領域の中で内部領域の辺りに記録される時、レイヤＬ１は内部領域１に含まれたＯＰＣ１領域でＯＰＣプロセスを実行することにより算出された最適記録パワーを使用する。データが光ディスクのデータ領域の中で外部領域の辺りに記録される時、レイヤＬ１は外部領域１に含まれたＤＣＺ１領域でＯＰＣプロセスを実行することにより算出された最適記録パワーを使用する。このような方式で、レイヤＬ１はデータ記録位置によって最適記録パワーの中でいずれかの一つを使用してデータを記録することができる。
【０１２１】
上述した説明はＯＰＣプロセスを実行することができる多様な方法の一例として第２の好ましい実施形態を使用しているが、当業者には他の好ましい実施形態、すなわち、第１の好ましい実施形態、第３の好ましい実施形態、及び第４の好ましい実施形態にも上記説明が適用できることは自明である。
【０１２２】
記録媒体として機能するディスクがデュアルレイヤディスクである場合、ＯＰＣプロセスを実行する方法が上述の説明に開示されている。上述のディスクがシングルレイヤディスクである場合、記録媒体として一つの記録層だけが使用される。したがって、ＯＰＣプロセスがＯＰＣ０及びＤＣＺ領域で実行される第１の場合、ＯＰＣプロセスがＯＰＣ０領域だけで実行される第２の場合、及びＯＰＣプロセスがＤＣＺ領域で実行される第３の場合が、ディスク使用時間の間にＯＰＣプロセスを要求すれば、すなわち、デュアルレイヤ光ディスクにユーザ記録命令が受信されると、第１の場合、第２の場合、及び第３の場合はＯＰＣプロセスを実行してデータが光ディスクに記録される時の最適記録パワーを算出する。
【０１２３】
当業者には、ＯＰＣプロセスを実行する上述した方法を記録層として機能する少なくとも一つのレイヤに適用できることは自明である。
【０１２４】
ステップＳ３３で、ＯＰＣプロセスの間に光ディスクが事前テスト用テスト領域を使用すると仮定すれば、未使用テスト領域でＯＰＣプロセスを実行するためにはＯＰＣ開始位置を検出しなければならない。この場合、ＯＰＣ開始位置は、図１１に示された方法を使用して発見することが好ましい。
【０１２５】
ステップＳ３２で、ディスクがフォーマットされなかったら、記録再生部２０は、ステップＳ３４で、外部フォーマット命令が存在するか否かを判定する。
【０１２６】
ステップＳ３４で、制御部１２からフォーマット命令が受信されると、記録再生部２０は、ステップＳ３５で、フォーマットプロセスを実行すると同時に最適記録パワーを算出するためにＯＰＣプロセスを実行する。
【０１２７】
ステップＳ３５で、ＯＰＣプロセスを実行する方法は、ステップＳ３３で、上述した好ましい実施形態におけるのと同様に実行することが好ましい。フォーマットプロセスを実行すると同時にＯＰＣプロセスを実行する方法は、ステップＳ３５に開示されているので、ステップＳ３５には、データを記録するための最適記録パワーを算出するテストが存在しない。この場合、ＯＰＣプロセスはテスト領域の使用可能な位置で実行される。
【０１２８】
ＯＰＣプロセスは、ステップＳ３３及びステップＳ３５で実行され、ステップＳ３６では算出された最適記録パワーがテスト領域に記録される。
【０１２９】
したがって、ユーザの記録／再生命令が制御部１２を介して記録再生部２０に伝達されると、記録再生部２０は、ステップＳ３７で、ディスクにデータを記録するか、またはディスクに記録された情報を再生する。
【０１３０】
上述の説明のように、ＯＰＣ領域を含む記録媒体で、ＤＣＺ領域を除外してＯＰＣ領域だけで最適記録パワーを算出するテストを実行することが好ましい。
【０１３１】
以下、光ディスクが光記録／再生デバイスに装着されるが前記光ディスクがフォーマットされた場合、光記録／再生デバイスが直ちにＯＰＣプロセスを実行しない時、記録媒体にデータを記録する方法について、図１６を参照して説明する。
【０１３２】
記録媒体が光記録／再生デバイスに装着されるが、ステップＳ４１で、記録再生部２０はＯＰＣプロセスを実行しないで待機モード（standby mode）を維持する。
【０１３３】
ステップＳ４２では、記録再生部２０が待機モードにある時、制御部１２から記録命令が受信されたか否かを判定する。ステップＳ４２で、制御部１２から記録命令が受信されたと判定されると、ステップＳ４３では、データ記録動作を実行するためにテスト領域においてＯＰＣプロセスが実行されて最適記録パワーが算出される。算出された最適記録パワーはテスト領域に記録される。
【０１３４】
ステップＳ４４では、記録命令に適合するデータが、算出された最適記録パワーを使用して記録媒体のデータ領域に記録される。
【０１３５】
本発明はディスクのデータ領域の中で内部領域の辺りにデータが記録されるときに内部領域のＯＰＣ領域で算出された最適記録パワーを使用する。光ディスクのデータ領域の中で外部領域の辺りにデータが記録されるとき、本発明は外部領域のＤＣＺ領域で算出された最適記録パワーを使用する。したがって、本発明はデータ記録位置によって最適記録パワーを適切に使用することができる。すなわち、ディスクの内部領域の近くで適用される第１の最適記録パワーはＯＰＣ領域で算出される結果により取得され、ディスクの外部領域の近くで適用される第２の最適記録パワーはＤＣＺ領域で算出される結果により取得されるので、データ記録エラーを防止することができる。この場合、ＢＤなどの高密度ディスクにデータが高速で記録される所定のデータ記録時間の間に全体のデータ領域に同一な記録パワーを適用すると、データ記録エラーが発生する場合がある。
【０１３６】
他の例として、ＯＰＣ領域で算出される第１の最適記録パワーとＤＣＺ領域で算出される第２の最適記録パワーは、実施例で変更なしに使用されるが、データ記録位置によって第１及び第２の最適記録パワーに個別加重値が適用されて最終記録パワーを決定してもよい。一方、データ記録位置がデータ領域の中で中央部分の辺りにあれば、算出された最適記録パワーの平均値を本発明に適用できる。
【０１３７】
上述のように、本発明に係る記録媒体のＯＰＣ領域及びＤＣＺ領域を含む物理的構造及びこのような物理的構造を使用して記録媒体に対してデータを記録／再生する方法及び装置は、最近開発されたＢＤの製造方法に適用でき、ディスクに対してデータを効果的に記録／再生することができる。
【０１３８】
さまざまな修正や変形が本発明において発明の要旨や範囲から離れることなく可能であることは当業者にとって明らかであろう。したがって、さまざまな修正や変形が特許請求の範囲およびその均等の範囲にある場合には、本発明は、本発明のさまざまな修正や変形を対象にするということを意図する。
【図面の簡単な説明】
【０１３９】
【図１】本発明に係るデータを記録することができる光ディスク構造を示す図である。
【図２】本発明に係るデータを記録することができるシングルレイヤの光ディスク構造を示す図である。
【図３Ａ】本発明の好ましい実施形態に係るデータを記録することができるデュアルレイヤの光ディスク構造を示す図である。
【図３Ｂ】本発明の好ましい実施形態に係るデータを記録することができるデュアルレイヤの光ディスク構造を示す図である。
【図４Ａ】本発明の他の好ましい実施形態に係るデータを記録することができるデュアルレイヤの光ディスク構造を示す図である。
【図４Ｂ】本発明の他の好ましい実施形態に係るデータを記録することができるデュアルレイヤの光ディスク構造を示す図である。
【図５】本発明に係る変調方法を示すグラフである。
【図６】本発明に係る変調方法を示すグラフである。
【図７】本発明に係る変調方法を示すグラフである。
【図８】本発明に係る変調方法を示すグラフである。
【図９】本発明に係る記録可能な光ディスクに管理情報を記録する方法を示す概念図である。
【図１０】本発明に係るＯＰＣプロセスを実行する方法を示す概念図である。
【図１１】本発明に係るＯＰＣ開始位置を検索する方法を示す概念図である。
【図１２】本発明に係る光記録／再生デバイスを示すブロック図である。
【図１３】本発明に係る記録媒体にデータを記録する方法を示すフローチャートである。
【図１４】本発明に係る記録媒体にデータを記録する方法を示すフローチャートである。
【図１５】本発明に係る記録媒体にデータを記録する方法を示すフローチャートである。
【図１６】本発明に係る記録媒体にデータを記録する方法を示すフローチャートである。
【図１】
2008512818.tif 000003
【図２】
2008512818.tif 000004
【図３Ａ】
2008512818.tif 000005
【図３Ｂ】
2008512818.tif 000006
【図４Ａ】
2008512818.tif 000007
【図４Ｂ】
2008512818.tif 000008
【図５】
2008512818.tif 000009
【図６】
2008512818.tif 000010
【図７】
2008512818.tif 000011
【図８】
2008512818.tif 000012
【図９】
2008512818.tif 000013
【図１０】
2008512818.tif 000014
【図１１】
2008512818.tif 000015
【図１２】
2008512818.tif 000016
【図１３】
2008512818.tif 000017
【図１４】
2008512818.tif 000018
【図１５】
2008512818.tif 000019
【図１６】
2008512818.tif 000020
【国際調査報告】
2008512818.tif 000021
2008512818.tif 000022